(57)【特許請求の範囲】
【請求項１】
筐体に備えられた一対の側壁と、
前記一対の側壁に取り付けられ、外部電源と接続される電源コネクタを覆う開閉可能な電源カバーとを備え、
前記電源カバーは、矩形板状のカバー本体部と、前記カバー本体部の対向する辺にそれぞれ接続された一対の側壁部と、前記一対の側壁部から互いに反対側に突出した支持軸とを備え、前記電源カバーが前記支持軸周りに回動する電源接続構造であって
前記一対の側壁部の少なくとも一方は前記カバー本体部との接続部と反対側の面が凸曲面に形成された湾曲部を備えており、
前記支持軸は前記一対の側壁のそれぞれに形成されて前記電源カバーの開閉方向に延びる長孔である支持孔に回動可能且つ摺動可能に係合されており、
前記一対の側壁のうち前記湾曲部側には、前記湾曲部の一部と接触するように突出した規制リブを備えており、
前記電源カバーが開閉されるとき、
前記湾曲部及び前記規制リブが、前記湾曲部と前記規制リブとが互いに接触する状態を保ち、且つ前記支持軸を前記支持孔内において摺動させるようになされていることを特徴とする電源接続構造。
【請求項２】
前記規制リブは、前記電源カバーが下方に移動しないように前記湾曲部と当接している請求項１に記載の電源接続構造。
【発明の詳細な説明】
【技術分野】
【０００１】
本発明は、電気機器、電子機器等の機器に外部の電源から電線を接続するための電源接続構造に関するものである。
【背景技術】
【０００２】
各種工場、プラント或いは建築物等では様々な機械設備が使用されており、これらの機械設備を制御するための制御盤が設置されている。前記制御盤は前記制御装置に対する入力を行うための操作盤や、前記機械設備の温度や動作時間等の前記機械設備の状態や制御の状態を表示するための表示盤を備えている。また、近年、前記操作盤と前記表示盤とが一体化された表示ユニットが用いられることが多くなっている。
【０００３】
前記表示ユニットの内部には、ＬＣＤ、メモリ、ＣＰＵ等の電子部品が含まれており、これら電子部品に電力を供給する必要がある。そこで、前記表示ユニットには、内部に配置された電源部に外部電源から電力を供給する電線を接続するための電源コネクタが備えられている。
【０００４】
前記表示ユニットにはＡＣ（交流）電力が供給されるものがあり、ＡＣ電力が供給されるときの電源コネクタとして、電線の端部の被覆が露出した部分を配置し、螺子で締結する金属製のターミナルを備えているものが利用されている。このように、ＡＣ電源と接続される電線を直接ターミナルに接続する電源コネクタでは、安全性を確保するため、ターミナルを覆う開閉可能な板状のカバーが取り付けられる（例えば、特開２００２−４２９１８号公報、図２、図３）。また、電線を前記電源コネクタに取り付けた後、前記電源コネクタを覆い、螺子止めする板状のカバーもある。
【０００５】
また、前記表示ユニットが取り付けられる制御盤によっては、ＤＣ（直流）電力が供給される場合もある。ＤＣ電力が供給される場合の電源コネクタは、電線及び表示ユニット両方にコネクタが備えられており、前記コネクタ同士を嵌合させることで接続される（例えば、特開２００９−２３１０１６号公報、図３、図４）
【先行技術文献】
【特許文献】
【０００６】
【特許文献１】特開２００２−４２９１８号公報
【特許文献２】特開２００９−２３１０１６号公報
【発明の概要】
【発明が解決しようとする課題】
【０００７】
前記開閉可能な板状のカバーはその構造上、長いヒンジ（支持軸）を採用できないので、勝手に外れやすく、紛失してしまうことがある。また、前記電線を前記電源コネクタのターミナルに取り付けるとき、前記カバーが勝手に開閉し、邪魔になる場合がある。また、螺子止めで筐体に固定されるカバーの場合、電線を前記電源コネクタのターミナルに着脱するたびに、螺子の着脱が必要でありわずらわしい。
【０００８】
また、近年では、設計及び製造の簡略化のため、前記表示ユニットのような電子機器において、ＡＣ電力が供給される機器もＤＣ電力が供給される機器も同じ筐体を用いるようになってきている。外部のＡＣ電源と接続する電源コネクタは、その取付方法（電線を直接ターミナルに螺子止めする）から、少なくとも前記ターミナルが前記筐体の外部に露出している。一方で、外部のＤＣ電源と接続する電源コネクタは、電線に取り付けられたコネクタを係合させて接続するので、筐体から突出しない。
【０００９】
ＡＣ電源と接続する電子機器の場合、前記カバーを取り付けるため電源コネクタを囲むように盛り上がっている部分が筐体に必要である。一方で、外部のＤＣ電源と接続する電子機器の場合、前記電線に取り付けられた電線コネクタと前記電源コネクタとがスナップフィット機構等の係合機構で係合している。前記筐体に電源コネクタを囲むように盛り上がっている部分があると、ＤＣ電源と接続する電源コネクタは前記筐体の表面から低い場所になってしまう。前記電源コネクタと前記電線コネクタとの接続位置が前記筐体の表面から低いと、係合機構に手や工具が届きにくい。この場合、前記電線コネクタを前記電源コネクタに差し込むだけの取り付けは容易に行われるが、取り外しは作業者の手及び（又は）工具で係合機構を解除しなくてはならず、作業が煩雑となる。
【００１０】
本発明は、上記の点に鑑み、ＡＣ電力が供給される電線が接続される場合であっても、ＤＣ電力が供給される電線が接続される場合であっても、電線を容易に取り付けることができる電源接続構造を提供することを目的とする。
【課題を解決するための手段】
【００１１】
上記目的を達成するために本発明は、筐体に備えられた一対の側壁と、前記一対の側壁に取り付けられ、外部電源と接続される電源コネクタを覆う開閉可能な電源カバーとを備えた電源接続構造であって、前記電源カバーは、矩形板状のカバー本体部と、前記カバー本体部の対向する辺のそれぞれ接続する一対の側壁部と、前記一対の側壁部の前記カバー本体部から離れた部分から互いに反対側に突出した支持軸とを備えており、前記一対の側壁部の少なくとも一方は前記カバー本体部との接続部と反対側の面が凸曲面に形成された湾曲部を備えており、前記支持軸は前記一対の側壁のそれぞれに形成され、前記電源カバーの開閉方向に延びる長孔である支持孔に回動可能且つ摺動可能に係合されており、前記一対の側壁のうち前記湾曲部と近接する側には、前記湾曲部の一部と接触するように突出した規制リブを備えており、前記湾曲部は、前記湾曲部と前記規制リブとが接触しつつ前記電源カバーが回動するとき、前記支持軸が前記支持孔内を摺動するように形成されていることを特徴とする。
【００１２】
この構成によると、前記支持軸が前記カバー本体部から離れている場所に備えられており、前記電源カバーが開くとき、前記支持軸が前記支持孔を摺動しつつ回動するので、前記側壁の前記電源コネクタの突出方向の高さを抑えることが可能である。
【００１３】
上記構成において、前記一対の側壁部が弾性変形可能に形成されており、前記一対の側壁部を弾性変形させ、前記一対の支持軸を前記支持孔に対して着脱できる前記電源カバーを備えていてもよい。
【００１４】
上記構成において、前記電源カバーを開いたとき前記カバー本体部を押え、開状態を維持するための開維持機構を備えていてもよい。なお、前記開維持機構として筐体に形成された上壁と、前記上壁から前記電源カバーに向かって突出した凸部と、前記カバー本体部に形成され、前記電源カバーが開いたとき前記凸部と係合する係合凹部とを有するものを挙げることができる。
【００１５】
上記構成において、前記一対の側壁部の少なくとも一方には、前記支持軸と同方向に突出する係止部が備えられており、前記一対の側壁には、前記係止部が嵌合される凹穴である係止凹部が形成されていてもよい。
【００１６】
上記構成において、前記電源カバーは、前記電源コネクタが外部ＡＣ電源と接続される場合、前記電源コネクタに電線を接続した状態で閉じることが可能である。また、前記電源カバーは、前記電源コネクタが外部ＤＣ電源と接続される場合、取り外される。
【発明の効果】
【００１７】
本発明によると、ＡＣ電力が供給される電線が接続される場合であっても、ＤＣ電力が供給される電源が接続される場合であっても、電線を容易に取り付けることができる電源接続構造を提供することができる。
【図面の簡単な説明】
【００１８】
【図１】本発明にかかる電源接続構造の一例を備えた表示ユニットの斜視図である。
【図２】図１に示す表示ユニットの電源接続部の電源カバーを閉じた状態の拡大斜視図である。
【図３】図２に示す電源接続部の電源カバーを開いた状態の斜視図である。
【図４】電源カバーを開いたとき及び閉じたときの電源カバーを同時に示した電源接続部の断面図である。
【図５】電源カバーの斜視図である。
【図６】本発明にかかる電源接続構造の電源カバーが開く工程を順に示した断面図である。
【図７】ＤＣ電力が供給される表示ユニットの斜視図である。
【図８】図７に示す電源接続構造を拡大した斜視図である。
【図９】図８に示す電源接続構造の電線コネクタを取り外した状態の斜視図である。
【発明を実施するための形態】
【００１９】
以下に本発明の実施形態を図面を参照して説明する。図１は本発明にかかる電源接続構造の一例を備えた表示ユニットの斜視図である。なお、以下の説明において、特に説明しない限り、上下、左右及び背面側との表記は、図１の表記を基準とする。また、電子機器の取付構造を備えた電子機器として、制御盤や制御盤が制御する機器の状態を表示部に表示し、制御盤内の制御装置に指示を送る操作部を備えた表示ユニットを例に説明している。
【００２０】
図１に示す表示ユニットＡは、ＡＣ電力が供給される電子機器である。図示しているように、表示ユニットＡは、フロントカバー１と、フロントカバー１の背面に取り付けられたリヤカバー２とを備えている。フロントカバー１及びリヤカバー２は樹脂で形成されており、フロントカバー１とリヤカバー２とは、表示ユニットＡの筐体の外装を構成している。フロントカバー１とリヤカバー２とで囲まれた空間の内部には、表示ユニットＡを構成する各種機器（例えば、ＬＣＤ、基板、メモリ、ＣＰＵ、外部通信用コネクタ等）が格納されている。
【００２１】
フロントカバー１は、４つの壁を筒状に連結した枠体１１と、枠体１１の正面側の端縁と一体形成されたフランジ部１２とを備えている。リヤカバー２は開口を有する箱型の部材である。リヤカバー２の開口の端部は、フロントカバー１の枠体１１の端部と接触しており、複数個のねじでフロントカバー１に固定されている。図に示しているように、リヤカバー２の下部は、背面側が凹んだ切り欠き部分が形成されている。この切り欠き部分の下向きの面は、外部機器と接続するためのケーブルを接続するコネクタが配置された、入出力コネクタ配置部になっている。また、切り欠き部分の背面側向きの面は、外部の電源と接続された電力線が接続される電源接続構造である電源接続部３を備えている。電源接続部３は開閉可能に配置された電源カバー４を備えている。なお、本実施例では、フロントカバー１とリヤカバー２をねじ止めしているが、これに限定されるものではない。例えば、一方に形成された係合爪を他方に形成された係合凹部に係合させて固定してもよい。さらには、フロントカバー１とリヤカバー２をしっかり固定できる公知の方法を用いて固定してもよい。
【００２２】
本発明にかかる電源接続構造の一例である電源接続部３を、図面を参照して説明する。図２は図１に示す表示ユニットの電源接続部の電源カバーを閉じた状態の拡大斜視図であり、図３は図２に示す電源接続部の電源カバーを開いた状態の斜視図であり、図４は電源カバーを開いたとき及び閉じたときの電源カバーを同時に示した電源接続部の断面図である。図２、図３に示すように、電源接続部３は、ＡＣ用の電線が接続される電源コネクタ５Ａが貫通する貫通孔３０と、貫通孔３０を貫通した電源コネクタ５Ａの左右に配置される一対の側壁３１と、電源コネクタ５Ａの上部に配置される上壁３２とを備えている。そして、電源カバー４は一対の側壁３１に支持され、上下方向に回転可能となっている。このとき、電源カバー４の後述する一対の側壁部４２は側壁３１と摺動できる程度に接触して配置されているが、非接触であってもよく、一対の側壁部４２のうち一方のみが側壁３１と接触するように配置されていてもよい。
【００２３】
電源コネクタ５Ａは、外部のＡＣ電源と接続されている電線が螺子で固定されるターミナル５１ａと、ターミナル５１ａの側部に取り付けターミナル５１ａを隔離するための隔壁５２ａとを備えている。図３に示しているように、ターミナル５１ａは２個備えられており、隔壁５２ａはターミナル５１ａの間及び２個のターミナル５１ａそれぞれの外側の合計、３個備えられている。また、２個のターミナル５１ａの外側の隔壁５２ａは電源カバー４の側壁部４２と近接して配置されている。なお、表示ユニットＡでは、２個のターミナル５１ａと３個の隔壁５２ａを備えた電源コネクタ５Ａを搭載しているもので説明しているが、それに限定されるものではない。例えば、表示ユニットには、１個、或いは、３個以上のターミナルを有する電源コネクタを備えることも可能である。このとき、電源コネクタにおいて、隔壁はターミナルよりも１個多く備えられる。
【００２４】
図４に示しているように、表示ユニットＡの内部には、基板Ｂｄが備えられており、電源コネクタ５Ａは基板Ｂｄに実装され、貫通孔３０を貫通している。図２、図４に示しているように、電源カバー４を閉じた状態のとき、電源コネクタ５Ａのリヤカバー２の背面側から見える部分は電源カバー４に隠れている。一方で、ターミナル５１ａの下部は電源カバー４に隠れていない。このことから、電源カバー４を開いた状態で、外部電源装置に接続された電線（いずれも不図示）の端部の導電部をターミナル５１ａに螺子止めした後、電線を下側に配線することで、電源カバー４を閉じても、電源カバー４と電線とが干渉しにくい。また、図４に示しているように、電源接続部３の上壁３２には凸部３３が形成されており、電源カバー４が開かれたとき、電源カバー４の後述する係合凹部４１１が凸部３３と係合し、電源カバー４が開状態に維持される。なお、以下の説明において、リヤカバー２の背面から電源接続部３の側壁３１の背面側の端部までの距離をＬ１、電源カバー４が閉じた状態のときの電源カバー４の、リヤカバー２の背面からの距離をＬ２として説明する場合がある。
【００２５】
次に、電源カバーの詳細について図面を参照して説明する。図５は電源カバーの斜視図であり、図６は本発明にかかる電源接続構造の電源カバーが開く工程を順に示した断面図である。図５に示すように、電源カバー４は、長方形板状のカバー本体部４１と、カバー本体部４１の左右両辺と直交するように連結している一対の側壁部４２と、一対の側壁部４２から外側に突出した一対の支持軸４３と、同じく、一対の側壁部４２から外側に突出した一対の係止部４４とを備えている。一対の側壁部４２はカバー本体部４１の同じ側の面と接続している。なお、以下の説明では特に必要のない限り、側壁部４２、支持軸４３及び係止部４４が一対である旨の記載は省略する。
【００２６】
カバー本体部４１の上部の中央部分には、電源接続部３の凸部３３と係合する係合凹部４１１が形成されている。また、カバー本体部４１の上辺は電源カバー４を閉じたとき外側の角部を面取りした形状の曲面部４１２を備えている。電源カバー４が開閉されるとき、カバー本体部４１の上辺が電源接続部３の上壁３２に引っかかりにくい。これにより、電源カバー４の開閉は円滑に行われる。
【００２７】
側壁部４２はカバー本体部４１と反対側の端部に湾曲部４２１が形成されている。そして、湾曲部４２１の下側と隣り合うように段部４２２が形成されている。湾曲部４２１は凸形状に湾曲しており、１又は複数の曲率の曲面をつないだ形状である（図５に示す、電源カバー４において、湾曲部４２１は１つの曲率の曲面で構成されている）。そして、段部４２２は湾曲部４２１の下側と連続して形成されており、カバー本体部４１と平行な面と直交する面とを組み合わせた形状となっている。電源カバー４が閉じた状態のとき、段部４２２と側壁３１に形成された後述する規制リブ３５とが係合し、電源カバー４の下方への移動が抑制される（図６（Ａ）参照）。そして、電源カバー４が開閉するとき、湾曲部４２１と規制リブ３５とが摺動し、電源カバー４の下方への移動が抑制される（図６（Ｂ）、図６（Ｃ）参照）。
【００２８】
図６（Ａ）に示すように、支持軸４３は電源カバー４が開閉するとき、電源カバー４の回転中心となる軸であり、円柱形状である。なお、支持軸４３は電源カバー４が閉じた状態のときの、側壁部４２の上端近傍で、且つ、カバー本体部４１から離れた位置に形成されている。係止部４４は、電源接続部３の側壁３１に形成されている、後述の係止凹部３６に嵌合し電源カバー４の移動（支持軸４３を中心とした回転）を抑制する。係止部４４は小さな力で電源カバー４の移動を規制できるように、支持軸４３から遠い部分、すなわち、側壁部４２の下端近傍に配置されている。
【００２９】
なお、図５等に示す電源カバー４において、側壁部４２には支持軸４３が突出している部分と、係止部４４が突出している部分との間に、スリットが形成されている。係止部４４が係止凹部３６と係合するとき、係止部４４が押され側壁部４２が撓む。その撓みが支持軸４３側に伝達され、支持軸４３が脱落するのを抑制するためである。支持軸４３が脱落しにくい構成（例えば、支持軸４３の長さが、係止部４４の係止凹部３６への係合による側壁部４２の撓みによって、支持孔３４から抜けない程度に長い構成）であれば、スリットは設けなくてもよい。
【００３０】
次に、電源接続部３と電源カバーの詳細及び電源カバーの開閉について主に図６の各図を参照して説明する。なお、図６（Ａ）は電源カバー４が閉じた状態であり、図６（Ｂ）は電源カバー４が略半分開いた状態であり、図６（Ｃ）は電源カバー４が完全に開いた状態である。また、図６（Ａ）、図６（Ｂ）、図６（Ｃ）では、説明の便宜上、電源コネクタ５Ａを省略している。
【００３１】
図６（Ａ）に示すように、側壁３１には、電源カバー４の支持軸４３を支持する支持孔３４と、電源カバー４の側壁部４２の湾曲部４２１又は段部４２２と接触し、電源カバー４の移動を規制する規制リブ３５と、電源カバー４が閉じたとき、係止部４４が係合される係止凹部３６とを備えている。支持孔３４は上下方向（電源カバー４が開閉する方向）に延びる長孔である。支持孔３４に挿入された支持軸４３は、支持孔３４の内部で回転可能であるとともに、支持孔３４に沿って摺動可能となっている。なお、本実施例では係止孔３４は直線上に延びる長孔であるがそれに限定されるものではなく、電源カバー４を安定して開閉させることができるものであれば、湾曲（或いは屈曲）した長孔であってもよい。
【００３２】
電源カバー４の側壁部４２は弾性変形可能な部材である。一対の支持軸４３の先端同士の長さが側壁３１の幅よりも小さくなるように一対の側壁部４２を変形させて、支持軸４３を側壁３１に形成された支持孔３４に挿入させる。そして、側壁部４２を元の形状に戻すことで、電源カバー４は支持軸４３の周りに回動可能に取り付けられる。また、側壁部４２を変形させ支持軸４３を支持孔３４から引き抜くことで容易に取り外しも可能である。そして、ＡＣ電源用の電源コネクタ５Ａが貫通孔３０を貫通している場合、側壁部４２に何らかの力が作用して弾性変形しようとしても、電源コネクタ５Ａの両外に配置された隔壁５２ａが近接配置されているので、支持軸４３が支持孔３４から脱落しにくくなっている。
【００３３】
規制リブ３５は電源カバー４が開閉するとき、湾曲部４２１又は段部４２２のどこかと接触し、電源カバー４の下方への移動を規制している。支持軸４３が支持孔３４内に回転可能且つ摺動可能に配置されているとともに、湾曲部４２１又は段部４２２が規制リブ３５と接触しているので、電源カバー４は常に同じ軌跡で開閉する。すなわち、支持孔３４が長孔であっても、電源カバー４は開閉時、がたつきにくい。
【００３４】
図６（Ａ）に示すように電源カバー４が閉じた状態のとき、支持軸４３は支持孔３４の最上部に位置しており、規制リブ３５は段部４２２と係合し電源カバー４が下方に移動するのを抑制している。さらに、係止部４４が係止凹部３６に嵌合しており、電源カバー４は振動等によって開かないように規制される。なお、支持軸４３及び係止部４４がカバー本体部４１から離れているので、図４に示すＬ１の長さを従来のような開閉可能な板状のカバーを用いる場合に比べて短くすることができ、電源コネクタ５Ａの表示ユニットＡの背面側に突出した部分を覆うことが可能である（図４参照）。
【００３５】
電源カバー４が閉じた状態（図６（Ａ）参照）では、作業者は電源コネクタ５Ａ（図４参照）のターミナル５１ａにアクセスできないので、電源カバー４を開いてターミナル５１ａにアクセスする。電源カバー４が閉じた状態で、電源カバー４の下部を背面側方向に引っ張ると、側壁部４２の係止部４４が配置されている部分が撓む。電源カバー４の下部を背面側方向に引っ張る力が大きくなると、側壁部４２の撓み量が大きくなり、係止部４４が係止凹部３６から外れる。このとき、側壁部４２にはスリットがあるため、側壁部４２の支持軸４３が配置されている部分に撓みが伝播せず、支持軸４３が支持孔３４から外れるのを抑制することが可能である。
【００３６】
係止部４４が係止凹部３６から外れると、電源カバー４は支持軸４３を中心に回転し、同時に段部４２２が規制リブ３５と離れ、湾曲部４２１が規制リブ３５と接触する（図６（Ｂ）参照）。このように、湾曲部４２１が規制リブ３５と接触しながら電源カバー４が開かれるので、電源カバー４の下方への移動が規制される。また、電源カバー４が湾曲部４２１と規制リブ３５とが接触した状態で回転するので、支持軸４３は支持孔３４内を下方に摺動する。これにより、電源カバー４は円滑に開閉される。
【００３７】
そして、電源カバー４が約９０度回転したとき、支持軸４３が支持孔３４の最下部に到達するとともに、カバー本体部４１が上壁３２に沿う位置まで移動する。このとき、カバー本体部４１の係合凹部４１１に上壁３２の凸部３３が挿入される（図６（Ｃ）参照）。図６（Ｃ）に示しているように、電源カバー４が開いた状態において、凸部３３が係合凹部４１１を押え、電源カバー４が自重で閉じてしまうのを抑制することができる。電源カバー４が開いた状態で維持されるので、作業者は電源カバー４に邪魔されることなく、電源コネクタ５Ａのターミナル５１ａに電線を螺子で取り付け、固定できる。
【００３８】
また、電源カバー４を用いることで、側壁部４２のうち支持軸４３が配置される部分の変形が隔壁５２ａによって阻止されるので、支持軸４３が支持孔３４から外れにくい。これにより、電源カバー４が勝手に外れてしまうのを抑制することができ、電源カバー４の紛失を防止することが可能である。
【００３９】
次に、電源接続構造に外部のＤＣ電源と接続された電線が接続される表示ユニットについて図面を参照して説明する。図７はＤＣ電力が供給される表示ユニットの斜視図であり、図８は図７に示す電源接続構造を拡大した斜視図であり、図９は図８に示す電源接続構造の電線コネクタを取り外した状態の斜視図である。図７、８、９に示す表示ユニットＢは、外部ＤＣ電源（不図示）からＤＣ電力が供給される電源コネクタ５Ｂを備えている。また、電源コネクタ５Ｂには外部ＤＣ電源に接続された電線の端部に取り付けられた電線コネクタ６が接続される。それ以外の部分は図１等に示す表示ユニットＡの電源接続部３と同じ構成を有しており、実質上同じ部分には同じ符号を付し、さらに実質上同じ部分の詳細な説明は省略する。また、図７、図８に示す電線コネクタ６には電線が接続されていないが実際には電線コネクタ６の背面側に形成されている穴に電線が接続されている。
【００４０】
表示ユニットＡのように、ＡＣ電源に接続されている電線が電源コネクタ５Ａに接続される場合、電線は２本の場合が多く、交流であることから、電線とターミナルとの組み合わせを厳格に決定する必要はない。表示ユニットＢのように、ＤＣ電源に接続されている電線が電源コネクタ５Ｂに接続される場合、電線のプラスマイナスが決まっている。ここでは、離れた場所で配線し、ワンタッチで接続でき、操作性の良好な電源コネクタ６を用いている。
【００４１】
表示ユニットＢにおいては、電源コネクタ５Ｂと電線コネクタ６とで接続されるため、電源接続部３には、電源カバー４が取り付けられない（図７等参照）。図９に示すように、電源コネクタ５Ｂの電線コネクタ６との接触面は側壁３１の背面側の端部よりも低い。この電源コネクタ５Ｂに電線コネクタ６を取り付ける場合、電源コネクタ５Ｂから電線コネクタ６が外れるのを抑制するため、電源コネクタ５Ｂと電線コネクタ６とは、スナップフィット構造等の従来良く知られた係合機構を利用して係合される。
【００４２】
電源コネクタ５Ｂに電線コネクタ６を取り付ける場合は、方向をあわせて差し込むだけで取付が可能であるが、電源コネクタ５Ｂから電線コネクタ６を取り外すときは、係合機構を操作する必要があり、電源コネクタ５Ｂが側壁３１の背面側の端部からあまり低くない位置に配置されていることが好ましい。
【００４３】
本発明の電源接続部３では、電源カバー４を用いることで、従来の板状の電源カバーを備えた電源接続部に比べて図４に示す距離Ｌ１を短くすることが可能であり、電源コネクタ５Ｂを側壁３１の背面側の端部から低くない位置（従来のものに比べて）に配置することが可能である。また、電源カバー４を用いることで、図４に示す距離Ｌ１を距離Ｌ２に比べて短くすることが可能である。
【００４４】
このことにより、電源カバー４を備える電源接続部３は、ＡＣ電源と接続するための電源コネクタ５Ａを用いるときは電源コネクタ５Ａのターミナル５１ａに電線を確実に取り付けることができる。また、ＤＣ電源と接続するための電源コネクタ５Ｂを用いるときは容易に電源カバー４を取り外すことができるとともに、リヤカバー２の背面から電源コネクタ５Ｂ及び電線コネクタ６にアクセスしやすい。
【００４５】
以上に示したように、本発明の電源接続構造を用いることで、供給される電力がＡＣであっても、ＤＣであっても、電源との接続を容易に行うことができる。また、電源カバー４を用いるので、ＡＣが供給される場合でも、電源コネクタのターミナルを覆って、安全性も十分に確保することができる。さらに、電源カバー４は電源コネクタの隔壁に押えられて脱落が抑制されるので、電源カバー４が不意に脱落して紛失してしまうのを防止することができる。なお、上述の実施形態では、ＤＣ電力が供給される電源コネクタ５Ｂを用いる場合、電源カバー４を取り外していたが、電源コネクタ５Ｂと電線コネクタ６の着脱の邪魔にならないのであれば、取り付けられたままであってもよい。この場合、電源カバー４は着脱可能でなくてもよい。
【産業上の利用可能性】
【００４６】
本発明は、電子機器、電気機器等、電力で駆動する機器、装置の電力供給部に利用することができる。
【符号の説明】
【００４７】
１  フロントカバー
１１  枠体
１２  フランジ部
１３  シール部
２  リヤカバー
３  電源取付部
３１  側壁
３２  上壁
３３  凸部
３４  支持孔
３５  規制リブ
３６  係止凹部
４  電源カバー
４１  カバー本体部
４１１  係合凹部
４１２  曲面部
４２  側壁部
４２１  湾曲部
４２２  段部
４３  支持軸
４４  係止部
５Ａ  電源コネクタ（ＡＣ用）
５Ｂ  電源コネクタ（ＤＣ用）
【図１】
0005518614.tif 000002
【図２】
0005518614.tif 000003
【図３】
0005518614.tif 000004
【図４】
0005518614.tif 000005
【図５】
0005518614.tif 000006
【図６】
0005518614.tif 000007
【図７】
0005518614.tif 000008
【図８】
0005518614.tif 000009
【図９】
0005518614.tif 000010